(57)【要約】【課題】  本発明は、印刷手法を工夫することにより看者に冷たい感じを充分に印象付けることができるラベルを提供することを課題とする。【解決手段】  合成樹脂製の透明なフィルム層２の裏面２ａに、装飾模様３２が印刷され、且つフィルム層２の表面２ｂに、装飾模様３２を上塗りするように、無機微粒子を付着させた凹凸面部４が設けられており、凹凸面部４は、複数の無機微粒子が付着してなる粗面部４１と、フィルム層２の表面２ｂが露出してなる滑面部４２とが、複数混在して構成されているラベルである。装飾模様３２としては、冷たいイメージを表現した絵柄又は文字を印刷し、向き微粒子としてはシリカが用いられる。【選択図】      図２
2005091806.tif 000002
【特許請求の範囲】
【請求項１】
合成樹脂製の透明なフィルム層の裏面に、装飾模様が印刷され、且つ前記フィルム層の表面に、前記装飾模様を上塗りするように、無機微粒子を付着させた凹凸面部が設けられており、前記凹凸面部は、無機微粒子が付着してなる粗面部と、フィルム層の表面が露出してなる滑面部とが、複数混在して構成されていることを特徴とするラベル。
【請求項２】
前記装飾模様が、冷感連想模様であり、前記粗面部の平均表面粗さ（Ｒａ）が、０．８〜２．５μｍである請求項１記載のラベル。
【発明の詳細な説明】
【技術分野】
【０００１】
本発明は、装飾性に優れたラベル、更に詳しくは、冷たい感じを印象付けることができるラベルに関する。
【背景技術】
【０００２】
一般に、ガラス瓶、ＰＥＴボトルなどのボトル型容器、広口容器、カップ状容器などの各種容体等には、熱収縮性筒状ラベルやタックラベルなどの様々な態様のラベルが使用されている。かかるラベルは、主に商品名や商品イメージなどを消費者に伝えるため、商品名や各種の装飾模様などが印刷によって表現されており、例えば、冷たい飲料容器などに使用されるラベルに氷の絵柄を印刷することにより、充填内容物の冷たい感じを表現している。しかしながら、例えば氷の絵柄などの装飾模様をカラー写真の如く正確に再現印刷しても、印刷だけでは、看者に冷たい感じを印象付けることに限界がある。また、ラベルの表面に一様にマットインキ等により艶消し処理を行って、装飾模様にフロスト調装飾を付与したラベルも知られているが、更に装飾性に優れ、冷たい感じの商品イメージを看者に充分印象付けることのできるラベルが望まれている。
【発明の開示】
【発明が解決しようとする課題】
【０００３】
そこで、本発明は、装飾性に優れる処理が施されたラベルを提供することを課題とし、更に、看者に冷たい感じを充分に印象付けることができるように工夫されたラベルを提供することを第２の課題とする。
【課題を解決するための手段】
【０００４】
本発明は、合成樹脂製の透明なフィルム層の裏面に、装飾模様が印刷され、且つフィルム層の表面に、装飾模様を上塗りするように、無機微粒子を付着させた凹凸面部が設けられており、凹凸面部は、無機微粒子が付着してなる粗面部と、フィルム層の表面が露出してなる滑面部とが、複数混在して構成されているラベルを提供する。
【０００５】
上記ラベルは、フィルム層の表面に、装飾模様を上塗りするように、無機微粒子を付着させた凹凸面部が設けられているので、該装飾模様の部分とそれ以外の部分に明確な光沢差が生じ、装飾模様を際立たせることができる。更に、装飾模様の凹凸面部は、無機微粒子が付着してなる粗面部と、フィルム層の表面が露出してなる滑面部とが、複数混在して構成されているので、該凹凸面部においても、光沢性の低い複数の粗面部の間に存在する光沢性の高い滑面部によって、粗面部の間から滑面部に当たる光が反射する。従って、装飾模様に、単に艶消し処理を一様に施しただけでは得られない、微妙な光沢コントラストを付与することができる。
【０００６】
さらに、本発明の第２の手段は、上記装飾模様が冷感連想模様であり、上記粗面部の平均表面粗さ（Ｒａ）が、０．８〜２．５μｍである上記ラベルを提供する。ここで、冷感連想模様とは、それを見ると経験則上、冷たいという印象を看者に起こさせるような絵柄及び／又は文字をいい、例えば、「氷、氷山、雪山、冷えたグラス、樹氷」などを表現した絵柄や、「氷、氷結、雪」などを表す文字などが含まれる。
かかる冷感連想模様に上塗りするように凹凸面部が設けられた上記ラベルは、艶消し状の粗面部と光沢性のある滑面部によって、冷感連想模様の上に、恰も霜と氷の粒が付着しているかのように見せることができる。また、この粗面部表面の平均粗さ（Ｒａ）が、０．８〜２．５μｍに形成することにより、粗面部表面に比較的大きな凹凸が生じ、冷感連想模様に上塗りされた凹凸面部を触った際に、恰も霜が付着しているかのように、ざらざらした感触を与えることができる。従って、視覚のみならず触覚にも訴えて、消費者に冷たい感じを印象付けることができる。
【０００７】
特に、上記フィルム層として熱収縮性フィルムを用い且つフィルム層の裏面が内周面となるように筒状に形成された熱収縮性筒状ラベルとして本発明を構成し、かかる熱収縮性筒状ラベルを、ガラス瓶などの曲面部を有する容器にシュリンク装着すると、該ラベルは、曲面部に沿って装着されるので、光の反射方向がより多様となり、霜の間から氷の粒がキラキラと輝いているかのように見せることができるので、好ましい態様である。
【発明の効果】
【０００８】
本発明に係るラベルは、装飾模様に上塗りするように凹凸面部を設けることにより装飾模様を際立たせ、更に、この凹凸面部を無機微粒子が付着した粗面部とフィルム層表面が露出した滑面部によって構成することにより、単に艶消し処理を一様に施しただけでは得られない、微妙な光沢コントラストを付与することができる。従って、より表現性に富んだ装飾が施されたラベルを提供できる。
また、装飾模様として冷感連想模様を印刷し、粗面部の平均表面粗さを０．８〜２．５μｍに形成することにより、その模様のイメージに適合した霜付き外観を表現でき、しかも、非常にざらざらした霜の感触をも表現できる。従って、有効な視覚的効果に加えて、触覚によっても冷たい感じを看者に与えることができ、冷たい商品のイメージを消費者に充分に伝えることが可能なラベルを提供できる。
【発明を実施するための最良の形態】
【０００９】
以下、本発明について、図面を参照しつつ具体的に説明する。図１は、熱収縮性筒状ラベルの斜視図（便宜上、凹凸面部を薄墨塗りで示す）、図２（ａ）は、図１のＡ−Ａ線部分の拡大端面図、図２の（ｂ）は、図１の丸囲い部分Ｂの拡大図である。
図１及び図２に於いて、１は、フィルム層２の裏面２ａに、意匠印刷層３が設けられ、且つフィルム層の表面２ｂに、無機微粒子を付着させた凹凸面部４が設けられたラベル基材５の両側端部５ａ，５ｂを、フィルム層２の裏面２ａ側がラベル内周面となるように重ねて筒状にし、この重ね部分を溶剤又は接着剤にて貼着することによりセンターシール部６が形成された熱収縮性筒状ラベルを示す。
【００１０】
具体的には、ラベル基材５は、合成樹脂製の透明なフィルム層２からなり、該フィルム層２の裏面２ａには、商品名・商品説明・成分表示などの形式的表示３１や商品イメージを付与するための装飾模様３２が印刷された意匠印刷層３が設けられている。この意匠印刷層３は、グラビア印刷などの公知の印刷法にて単色又は多色刷り（カラー写真）印刷で設けられている。本実施形態に於いては、装飾模様３２として、氷山をイメージした絵柄（冷感連想模様）が、白インキにて濃淡を付けて印刷されている。尚、装飾模様３２の色彩は、白色に限られず、淡黄色、淡青色、淡赤色、淡銀色などのその他色彩及び各色彩の組み合わせでもよい。
一方、フィルム層２の表面２ｂには、この装飾模様３２の上から塗り重ねるように、無機微粒子を付着させた凹凸面部４が設けられている。この凹凸面部４は、図２に示すように、複数の無機微粒子が付着した粗面部４１と、フィルム層２の表面２ｂが露出した滑面部４２（無機微粒子が付着していない部分）とからなり、両部４１，４２が特に決まりなく不規則に密に混在した状態に形成されている。かかる粗面部４１は、無機微粒子がフィルム層２の表面２ｂに沿って複数付着した部分であり（層状に重なって付着している部分もある）、（メタ）アクリル酸、（メタ）アクリル酸エステルなどを主成分とするアクリル系樹脂などの無色透明な合成樹脂をバインダーとし、これに無機微粒子を分散させたインキを用いて、グラビア印刷法などで塗工されている。無機微粒子としては、特に限定されず、例えば、シリカ（ＳｉＯ2）、酸化チタン（ＴｉＯ2）、炭酸バリウム、アルミナなどの無機微粒子を用いることができるが、装飾模様３２の色彩を透視できるようにするために、透明性に優れるシリカを用いることが好ましく、中でも比較的粒径の大きい平均粒径１０〜２５μｍ程度のシリカを用いることがより好ましい。このような比較的粒径の大きい無機微粒子を用いることにより、粗面部４１の表面頂部と滑面部４２の表面との段差（高さの差）が大きくなるので粗面部４１と滑面部４２との境界が明確になり、粗面部４１のざらざら感を一層際立たせることができる。無機微粒子は、上記インキの樹脂成分中、例えば１０〜３０重量％以上配合されたものが好ましい。また、粗面部４１を構成するインキの塗布厚（高さ）については特に限定されないが、通常、バインダーとなる樹脂部分の厚みが１〜５μｍ程度、無機微粒子が付着した部分では１０μｍ以上の厚みとなり、かかる部分が点在してもよい。また、各粗面部４１の厚みは、それぞれ同厚（一定）でもよいが、図２（ａ）に示すように、異なる厚みになっていてもよい。粗面部４１は、その表面の平均表面粗さ（Ｒａ）が、０．８〜２．５μｍとなるように形成されていることが好ましく、特に１．０μｍ以上がより好ましい。但し、平均表面粗さ（Ｒａ）は、ＪＩＳ  Ｂ０６０１（１９９４年）に準じて測定した値である。
粗面部４１や滑面部４２の平面形状は特に限定されず、例えば斜め帯状に形成された粗面部４１と滑面部４２が交互に配置されたような規則的な形状でもよいが、自然に霜が付いたようなイメージにするために楕円状、細長状、矩形状などの不定形の任意形状に形成することが好ましい。また、粗面部４１や滑面部４２の大きさについても特に限定されないが、余りに微小であったり大き過ぎたりすると、両部４１，４２を混在させて凹凸面部４を構成した意義が消失するため、例えば幅Ｗが０．０５ｍｍ以上、好ましくは、０．１ｍｍ以上程度にするのがよく、幅Ｗが２ｍｍ以下、好ましくは１ｍｍ以下程度にするのが良い。これら粗面部４１や滑面部４２の大きさも、自然に霜が付いたようなイメージにするために、図２に示すように、任意の大きさのものが点在していることが好ましい。
尚、筒状ラベル１の内周面の滑り性を向上させ、扁平状に畳まれた筒状ラベルの開口及び熱収縮時に容器の外周面に対してスムースに滑るようにさせるため、意匠印刷層３の裏面３ａに低摩擦層７を設けてもよい。この低摩擦層７は、実質的に顔料を含まない無色透明メジウムインキ、意匠印刷層３よりも淡い白色インキなどをグラビア印刷法などでベタ印刷することにより設けられており、これら低摩擦層７のインキには、滑り性を更に向上させるため、ワックス類、シリコーン、各種滑剤などの添加剤を混合することが好ましい。
【００１１】
次に、フィルム層２は、表裏面２ｂ，２ａに印刷可能で、且つ無色透明又は意匠印刷層を透視可能な程度に薄く着色された有色透明の合成樹脂製のフィルムからなり、その材質については特に限定されず、例えば、ポリエチレンテレフタレートなどのポリエステル系樹脂、ポリプロピレンなどのオレフィン系樹脂、ポリスチレン、スチレン−ブタジエン共重合体などのスチレン系樹脂、環状オレフィン系樹脂、塩化ビニル系樹脂などから選ばれる１種、又は２種以上の混合物などからなる合成樹脂製フィルムが用いられ、又、異なる２種以上のフィルムを積層した積層フィルムを用いてもよい。本実施形態のように、熱収縮性筒状ラベルの場合には、公知の処理によって熱収縮可能に構成された熱収縮性フィルムを用いればよい。この熱収縮性フィルムは、例えば少なくとも一方向（筒状ラベルとした場合に周方向）に於ける熱収縮率（８０℃温水中に１０秒間浸漬）が３０％以上の一軸延伸フィルム又は主延伸方向と直交する方向に若干延伸された二軸延伸フィルムを用いることが好ましい。また、フィルム層２の厚みは、概ね２０〜１００μｍ程度のものが好ましい。
【００１２】
上記熱収縮性筒状ラベル１は、例えば、無色透明なガラス容器やＰＥＴボトルなどの無色透明な曲面部を有する容器にシュリンク装着し、ラベル付き容器の態様で使用される。
上記筒状ラベル１は、フィルム層２の表面２ｂに、裏面２ａに印刷された冷感連想模様３２を上塗りするように、凹凸面部４が設けられているので、これを表面側から見た際には、冷感連想模様３２と凹凸面部４が設けられていないそれ以外の部分に明確な光沢差が生じて、冷感連想模様３２が際立って見える。更に、冷感連想模様３２に重なって設けられた凹凸面部４は、無機微粒子が付着した粗面部４１とフィルム層２の表面２ｂが露出した滑面部４２とが複数混在しているので、光沢性の低い複数の粗面部４１の間に、光沢性の高い滑面部４２から反射する微細な光によって、単に艶消し処理を一様に施しただけでは得られない、微妙な光沢コントラストを生じる。かかる微妙な光沢コントラストにより、表面側から見た際、冷感連想模様３２には、恰も霜と氷の粒が付着しているかのような外観を呈する。このように本発明のラベル１は、氷山などの冷たいイメージの絵柄の上からそのイメージに合った表面処理を施すことにより、冷感連想模様３２と凹凸面部４の視覚的な相乗効果によって看者に冷たい感じを印象付けることができる。さらに、筒状ラベル１を曲面を有する容器などにシュリンク装着すると、ラベル１は、容器の三次元外周面に沿って装着されるので、見る角度を変えれば、粗面部４１と滑面部４２の光の反射方向が多様となり、恰も霜の間から氷の粒がキラキラと輝いているかのような外観を呈する。
【００１３】
さらに、粗面部４１として、シリカを用いた場合には、装飾模様３２に施された色彩そのものを表面側から透視できる。更に粗面部４１の平均表面粗さ（Ｒａ）が、０．８〜２．５μｍとなるように形成されているので、粗面部４１がざらざらとした触覚となり、また、シリカなどの無機微粒子として平均粒径１０〜２５μｍのものを付着させた場合には、粗面部４１と滑面部４２との段差が大きくなるとともに、粗面部４１表面の所々にシリカ粒子の突起による微細な凹凸も比較的大きくなるので、冷感連想模様３２に上塗りされた凹凸面部４を手で触れると、非常にざらざらした感触を受ける。かかる感触は、冷感連想模様３２に恰も霜が付着したような感覚を与え、従って、視覚のみならず触覚にも訴えて、消費者に冷たい感じを印象付けることができる。
【００１４】
尚、本発明は上記各実施形態に限定されるものではなく、本発明の意図する範囲で、適宜の構成を付加、代用、設計変更などすることができる。以下、主として上記各実施形態と異なる部分を説明し、同様の構成については、用語及び図番を援用し、その説明を省略する。
上記実施形態に於いて、凹凸面部４は、冷感連想模様３２（装飾模様）全体に上塗りして設けられているが、例えば、図３に示すように、冷感連想模様３２の一部分（例えば、雪山のうち雪が降り積もった部分のみ）に凹凸面部４が設けられていてもよい。さらに、複数箇所に冷感連想模様３２が印刷されている場合に於いて、その全てに凹凸面部４を設けてもよいし、一部にのみ設けてもよい。また、冷感連想模様３２は、絵柄に限られず、冷たい感じを意味する文字であってもよい。尚、装飾模様３２は、上記のように冷感連想模様に限られず、任意の装飾模様３２に凹凸面部４を設けることができる。
また、上記実施形態に於いて、意匠印刷層３は、フィルム層２の裏面２ａに設けられているが、フィルム層２の表面２ｂに設けてもよいし、表裏面２ａ，２ｂの双方に適宜設けられていてもよい。
【００１５】
また、上記実施形態に於いては、ラベルとして熱収縮性筒状ラベル１を例示しているが、本発明のラベルは熱収縮性筒状ラベル態様に限られず、例えばラベル基材５を平面視略矩形状や略楕円状などに形成し、この裏面に粘着剤が塗布されたタックラベルや、裏面に感熱型接着剤が塗布された感熱接着ラベルなどのようなシート状態様のラベルとしてもよく、又、弾性力のある自己伸縮性フィルムを用い、これを筒状に形成した自己伸縮性筒状ラベル（ストレッチラベル）として構成してもよい。
さらに、ラベル１を付ける容器としては、上記実施形態のように、無色透明な容器を用いると透光性による効果が得られるので好ましいが、有色の容器に付けてもよい。また、本発明のラベルは、上記のように容器の曲面などの三次元外周面を有する容器に装着するとより好ましいが、例えば平面部分に付けて使用してもよい。
【図面の簡単な説明】
【００１６】
【図１】本発明の熱収縮性筒状ラベルの一実施形態を示す斜視図。
【図２】（ａ）は、図１のＡ−Ａ線拡大端面図、（ｂ）は、図１の丸囲いＢ部分拡大参考図。
【図３】本発明の熱収縮性筒状ラベルの他実施形態を示す斜視図。
【符号の説明】
【００１７】
１…熱収縮性筒状ラベル、２…フィルム層、２ａ…フィルム層の裏面、２ｂ…フィルム層の表面、３…意匠印刷層、３ａ…意匠印刷層の裏面、３１…形式的表示、３２…装飾模様、４…凹凸面部、４１…粗面部、４２…滑面部、５…ラベル基材、５ａ…ラベル基材の一側端部、５ｂ…ラベル基材の他側端部、６…センターシール部、７…低摩擦層
【図１】
2005091806.tif 000003
【図２】
2005091806.tif 000004
【図３】
2005091806.tif 000005